(57)【要約】【課題】簡単な構造でかつコンパクトに格納することができる収納装置の提供。【解決手段】物品収納体３１は格納部２５に折り畳まれて格納される格納状態と、開口部２１から引き出され展開される使用状態とに切り換えられる。物品収納体３１は、使用状態では、左右一対の側壁部６１と、各側壁部６１の下端縁間を連結する底壁部６３と、各側壁部６１及び底壁部６３の各前側端縁に互いに連結され、開口部２１を開閉するリッド部３７と、各側壁部６１及び底壁部６３の各後側端縁に互いに連結され、格納部２５内に取り付けられる後壁部３９とを備えていて、物品収納部３３を有する矩形箱状に形成されている。物品収納体３１は、使用状態から格納状態に切り換えられるとき、各部の境界に形成された折り曲げライン７１〜７９及び各側壁部６１及び底壁部６３に形成された折り畳みライン９１〜９９により折り畳まれて格納されるように構成されている。【選択図】図７
2008087625.tif 000002
【特許請求の範囲】
【請求項１】
車両の内装材に装着され、該内装材の格納部に折り畳まれて格納される格納状態と、該格納部の車室側の開口部から前側に引き出され展開されて使用される使用状態とに切り換えられる物品収納体を備えた車両用収納装置であって、
上記物品収納体は、上記使用状態では、物品収納体の引出方向に沿って、互いに平行に延びる左右一対の側壁部と、該一対の側壁部の下端縁間を連結する底壁部と、該一対の側壁部及び該底壁部の各前側端縁に互いに連結され、上記開口部を開閉するリッド部と、該一対の側壁部及び上記底壁部の各後側端縁に互いに連結され、上記格納部内に取り付けられる後壁部とを備えていて、少なくとも上方が開放された有底の物品収納部を有する矩形箱状に形成され、
上記一対の側壁部、上記底壁部、上記リッド部及び上記後壁部の境界にはそれぞれ折り曲げラインが形成されているとともに、上記一対の側壁部及び上記底壁部には線状の折り畳みラインが形成されており、
上記物品収納体は、上記使用状態から上記格納状態に切り換えられるとき、上記折り曲げライン及び上記折り畳みラインにより上記一対の側壁部及び上記底壁部が折り畳まれて格納されるように構成されていることを特徴とする車両用収納装置。
【請求項２】
請求項１の車両用収納装置において、
上記折り曲げラインは、
上記底壁部の左右端縁と上記一対の側壁部との境界に形成された第１折り曲げラインと、
上記一対の側壁部の前端縁と上記リッド部との境界に形成された第２折り曲げラインと、
上記底壁部の前端縁と上記リッド部との境界に形成された第３折り曲げラインと、
上記一対の側壁部の後端縁と上記後壁部との境界に形成された第４折り曲げラインと、
上記底壁部の後端縁と上記後壁部との境界に形成された第５折り曲げラインとを有し、
上記各第１折り曲げラインの前後中央部に位置する第１ライン集合点と、該第１ライン集合点の上方の上記各側壁部に位置する第２ライン集合点と、上記各側壁部の上端の前後中央部に位置する第３ライン集合点と、上記各第１乃至第３折り曲げラインの交点に位置する第４ライン集合点と、上記各第１，各第４及び第５折り曲げラインの交点に位置する第５ライン集合点とが設定され、
上記折り畳みラインは、
上記底壁部に上記左右の第１ライン集合点間に亘って左右方向に延び、該底壁部を前側底壁部と後側底壁部とに区画する底壁部側ラインと、
上記各側壁部において上記第１ライン集合点と上記第２ライン集合点との間を上下方向に延びるように設けられる第１側壁部側ラインと、
上記各側壁部において上記第２ライン集合点と上記第３ライン集合点との間を上下方向に延びかつ上記各第１側壁部側ラインの延長上に位置付けられて上記各側壁部を前側側壁部と後側側壁部とに区画する第２側壁部側ラインと、
上記各側壁部において上記各第２ライン集合点と上記各第４ライン集合点との間に亘って前側が下方へ傾斜するように延びる第３側壁部側ラインと、
上記各側壁部において上記各第２ライン集合点と上記各第５ライン集合点との間に亘って前側が上方へ傾斜するように延びる第４側壁部側ラインとを有し、
上記各側壁部には、上記第１側壁部側ライン、上記第３側壁部側ライン及び第１折り曲げラインにより該各前側側壁部の下部を区画する直角三角形状の側壁前側下面と、上記第１側壁部側ライン、上記第４側壁部側ライン及び第１折り曲げラインにより該各後側側壁部の下部を区画する直角三角形状の側壁後側下面とがそれぞれ形成され、
上記物品収納体は、使用状態から格納状態に切り換えられるとき、
上記前側底壁部及び上記後側底壁部の裏面が互いに近づくように上記底壁部側ラインが上記物品収納部内を上方へ移動して上記底壁部が該底壁部側ラインで内側に折り曲げられるとともに、上記第３折り曲げラインにより上記前側底壁部と上記リッド部裏面とが互いに近づき、上記第５折り曲げラインにより上記後側底壁部と上記後壁部とが互いに近づくように折り畳まれ、
上記各側壁部の上記第２側壁部側ラインが互いに近づくように上記物品収納部内へ移動して上記前側側壁部及び上記後側側壁部の外面が互いに近づいて上記各側壁部が上記第２側壁部側ラインで内側に折り曲げられるとともに、上記第２折り曲げラインにより上記前側側壁部と上記リッド部とが互いに近づき、上記第４折り曲げラインにより上記後側側壁部と上記後壁部とが互いに近づくように折り畳まれる一方、
上記側壁前側下面及び上記側壁後側下面の裏面が互いに近づくように上記第１側壁部側ラインが上記第２ライン集合点を中心として外側上方に移動して、上記各側壁部が上記第１，第３及び第４側壁部側ラインと上記第１折り曲げラインとで外側に折り曲げられ、上記各第１側壁部側ラインが左右に水平状態で、上記側壁前側下面と上記側壁後側下面との間に上記前側底壁部及び上記後側底壁部が折り畳まれて挟持されるとともに各側壁部の上記前側側壁部と上記後側側壁部との間に上記側壁前側下面及び上記側壁後側下面が折り畳まれて挟持されるように構成されていることを特徴とする車両用収納装置。
【請求項３】
請求項１又は請求項２の車両用収納装置において、
上記後壁部は上記格納部に着脱可能に取り付けられていて上記物品収納体が上記内装材から取り外し可能であることを特徴とする車両用収納装置。
【発明の詳細な説明】
【技術分野】
【０００１】
本発明は、車両の内装材に物品収納体が引き出し可能に装着された車両用収納装置に関するものである。
【背景技術】
【０００２】
従来より、例えば特許文献１に示すように、車両のインストルメントパネル等の内装材に引き出し可能に設けられた車両用収納装置は知られている。この特許文献１の収納装置は、インストルメントパネルの下部に固定した水平方向に延びるレールに、フレーム枠状の保持部が摺動自在に嵌め合わされ、この保持部に上方に開口した袋体の上縁が取り付けられている。そして、格納時には、この袋体が折り畳み手段により上方に折り畳まれ、保持部とともにインストルメントパネルの下部に格納されるようになっている。この折り畳み手段は、移動規制部材としてのロッドと、折り畳み体とを備えており、この折り畳み体は、底板と２つのアームと折り畳み誘導材としてのガイドとを備えている。この底板は袋体の底部を支えるものであり、その後縁がガイドの下部に移動可能に挿入されている。このガイドは袋体の後部に配置され、上縁が上記保持部の後縁に軸支された支軸に回転可能に取り付けられている。上記２つのアームの一端は底板の前側の凸条部の両端に軸着され、また他端は上記保持部の後部の両端に軸着されている。
【特許文献１】特開２００３−３４１４３６号公報
【発明の開示】
【発明が解決しようとする課題】
【０００３】
ところで、上記特許文献１の収納装置では、上記袋体は、インストルメントパネルの下部に固定したレール部分に保持部及び折り畳み手段とともに格納されるため、この収納装置が取り付けられる内装材には、ある程度の奥行きのあるスペースを収納装置のために確保しなければならない。これでは、例えばトランクルームのサイドトリム等の奥行きのない内装材には装着することができない。
【０００４】
さらに、上記特許文献１の収納装置は、袋体を折り畳むための折り畳み手段がロッドや底板、アーム、ガイド等の複数の部材で構成されており、部品点数が多く構造が複雑であり、その重量も大きくなってしまうとともに、この収納装置をコンパクトに格納することができないばかりか高価なものとなるという問題がある。
【０００５】
本発明は、かかる点に鑑みてなされたものであり、その目的とするところは、簡単な構造でかつコンパクトに格納することができる安価な収納装置を提供することにある。
【課題を解決するための手段】
【０００６】
上記課題を解決するために、本発明に係る車両用収納装置では、一対の側壁部、底壁部、リッド部及び後壁部を備える箱状の物品収納体を、各側壁部及び底壁部に形成された折り畳みラインにより折り畳むことで、内装材の格納部に格納できるようにした。
【０００７】
具体的には、第１の発明に係る車両用収納装置は、車両の内装材に装着され、該内装材の格納部に折り畳まれて格納される格納状態と、該格納部の車室側の開口部から前側に引き出され展開されて使用される使用状態とに切り換えられる物品収納体を備えた車両用収納装置であって、上記物品収納体は、上記使用状態では、物品収納体の引出方向に沿って、互いに平行に延びる左右一対の側壁部と、該一対の側壁部の下端縁間を連結する底壁部と、該一対の側壁部及び該底壁部の各前側端縁に互いに連結され、上記開口部を開閉するリッド部と、該一対の側壁部及び上記底壁部の各後側端縁に互いに連結され、上記格納部内に取り付けられる後壁部とを備えていて、少なくとも上方が開放された有底の物品収納部を有する矩形箱状に形成され、上記一対の側壁部、上記底壁部、上記リッド部及び上記後壁部の境界にはそれぞれ折り曲げラインが形成されているとともに、上記一対の側壁部及び上記底壁部には線状の折り畳みラインが形成されており、上記物品収納体は、上記使用状態から上記格納状態に切り換えられるとき、上記折り曲げライン及び上記折り畳みラインにより上記一対の側壁部及び上記底壁部が折り畳まれて格納されるように構成されている。
【０００８】
第２の発明に係る車両用収納装置は、上記第１の車両用収納装置において、上記折り曲げラインは、上記底壁部の左右端縁と上記一対の側壁部との境界に形成された第１折り曲げラインと、上記一対の側壁部の前端縁と上記リッド部との境界に形成された第２折り曲げラインと、上記底壁部の前端縁と上記リッド部との境界に形成された第３折り曲げラインと、上記一対の側壁部の後端縁と上記後壁部との境界に形成された第４折り曲げラインと、上記底壁部の後端縁と上記後壁部との境界に形成された第５折り曲げラインとを有し、上記各第１折り曲げラインの前後中央部に位置する第１ライン集合点と、該第１ライン集合点の上方の上記各側壁部に位置する第２ライン集合点と、上記各側壁部の上端の前後中央部に位置する第３ライン集合点と、上記各第１乃至第３折り曲げラインの交点に位置する第４ライン集合点と、上記各第１，各第４及び第５折り曲げラインの交点に位置する第５ライン集合点とが設定され、上記折り畳みラインは、上記底壁部に上記左右の第１ライン集合点間に亘って左右方向に延び、該底壁部を前側底壁部と後側底壁部とに区画する底壁部側ラインと、上記各側壁部において上記第１ライン集合点と上記第２ライン集合点との間を上下方向に延びるように設けられる第１側壁部側ラインと、上記各側壁部において上記第２ライン集合点と上記第３ライン集合点との間を上下方向に延びかつ上記各第１側壁部側ラインの延長上に位置付けられて上記各側壁部を前側側壁部と後側側壁部とに区画する第２側壁部側ラインと、上記各側壁部において上記各第２ライン集合点と上記各第４ライン集合点との間に亘って前側が下方へ傾斜するように延びる第３側壁部側ラインと、上記各側壁部において上記各第２ライン集合点と上記各第５ライン集合点との間に亘って前側が上方へ傾斜するように延びる第４側壁部側ラインとを有し、上記各側壁部には、上記第１側壁部側ライン、上記第３側壁部側ライン及び第１折り曲げラインにより該各前側側壁部の下部を区画する直角三角形状の側壁前側下面と、上記第１側壁部側ライン、上記第４側壁部側ライン及び第１折り曲げラインにより該各後側側壁部の下部を区画する直角三角形状の側壁後側下面とがそれぞれ形成され、上記物品収納体は、使用状態から格納状態に切り換えられるとき、上記前側底壁部及び上記後側底壁部の裏面が互いに近づくように上記底壁部側ラインが上記物品収納部内を上方へ移動して上記底壁部が該底壁部側ラインで内側に折り曲げられるとともに、上記第３折り曲げラインにより上記前側底壁部と上記リッド部裏面とが互いに近づき、上記第５折り曲げラインにより上記後側底壁部と上記後壁部とが互いに近づくように折り畳まれ、上記各側壁部の上記第２側壁部側ラインが互いに近づくように上記物品収納部内へ移動して上記前側側壁部及び上記後側側壁部の外面が互いに近づいて上記各側壁部が上記第２側壁部側ラインで内側に折り曲げられるとともに、上記第２折り曲げラインにより上記前側側壁部と上記リッド部とが互いに近づき、上記第４折り曲げラインにより上記後側側壁部と上記後壁部とが互いに近づくように折り畳まれる一方、  上記側壁前側下面及び上記側壁後側下面の裏面が互いに近づくように上記第１側壁部���ラインが上記第２ライン集合点を中心として外側上方に移動して、上記各側壁部が上記第１，第３及び第４側壁部側ラインと上記第１折り曲げラインとで外側に折り曲げられ、上記各第１側壁部側ラインが左右に水平状態で、上記側壁前側下面と上記側壁後側下面との間に上記前側底壁部及び上記後側底壁部が折り畳まれて挟持されるとともに各側壁部の上記前側側壁部と上記後側側壁部との間に上記側壁前側下面及び上記側壁後側下面が折り畳まれて挟持されるように構成されている。
【０００９】
第３の発明に係る車両用収納装置は、上記第１又は第２の車両用収納装置において、上記後壁部は上記格納部に着脱可能に取り付けられていて上記物品収納体が上記内装材から取り外し可能である。
【発明の効果】
【００１０】
上記第１の発明によれば、物品収納体は一対の側壁部、底壁部、リッド部及び後壁部を備え、その格納状態では、各折り曲げラインと各側壁部及び底壁部に形成した各折り畳みラインとにより折り畳まれて格納部に格納される。このため、この物品収納体を折り畳むために、ガイドやアームといった別部材が必要でなく、簡単な構造で軽量かつ安価な収納装置を提供することができる。
【００１１】
また、物品収納体の格納状態では、格納部内に取り付けた後壁部にリッド部を重ね合わせるようにして、折り曲げライン及び折り畳みラインにより各側壁部及び底壁部を折り畳んだ状態でリッド部により開口部を閉じることができる。したがって、格納部は後壁部及びリッド部と、折り畳まれた側壁部及び底壁部とを収納可能な奥行きさえあればよく、サイドトリム等のように奥行きのない内装材にも格納部を形成して、収納装置をコンパクトに格納することができる。
【００１２】
上記第２の発明によれば、各側壁部、底壁部、リッド部及び後壁部のそれぞれの境界に第１〜第５折り曲げラインを形成するとともに、折り畳みラインとして底壁部に底壁部側ラインを、各側壁部に第１〜第４側壁部側ラインを形成することにより、物品収納体を無駄なく容易に折り畳んで、より一層コンパクトに格納することができる。
【００１３】
上記第３の発明によれば、後壁部が格納部から取り外し可能であるため、物品収納体を内装材から取り外して、独立した収納体として持ち運んで他の場所でも使用することができ、物品収納体の利便性を向上させることができる。
【発明を実施するための最良の形態】
【００１４】
以下、本発明の実施形態を図面に基づいて詳細に説明する。
【００１５】
（格納部）
図１は、本発明の実施形態に係る収納装置１を備えた車両のトランクルーム３を示し、このトランクルーム３は、車両後部のリヤバンパー１３の上側位置両側側部の内装材としてのサイドトリム５（図１に左側のみを示す）と、底部のフロア部７と、車両前側を仕切る仕切部９とで囲まれて設けられている。上記サイドトリム５はその車両外側に設けたアウタパネル１１にそれぞれ取り付けられ、トランクルーム３は車両の上側及び車両後側に開口したトランク開口部１５を有し、このトランク開口部１５をトランクリッド１７により開閉するようになっている。
【００１６】
図２に示すように、車両左側の上記アウタパネル１１の下部が車幅方向内側に向かって屈曲水平に延び、その端縁に上記フロア部７の左側端部が接合されている。また、このアウタパネル１１の上側部は車幅方向内側に屈曲した後、さらに下側に向かって屈曲している。また、アウタパネル１１の後側部は車幅方向内側に向かった後に前側に向かって屈曲して形成されている。そして、これらの屈曲部分でアウタパネル１１の車両内側部１１ａが構成され、この車両内側部１１ａの端部には車両内側に向かって延びるフランジ部１１ｂ（図２にのみ示す）が形成され、このフランジ部１１ｂに、車両左側の上記サイドトリム５が接合され取り付けられている。このサイドトリム５は、図１に示すように、トランクルーム３の内側に位置する内側壁部５ｃと、この内側壁部５ｃの上端及び後端から車両外側（左側）に延びる上側壁部５ａ及び後側壁部５ｂとで構成され、その上側壁部５ａ及び後側壁部５ｂが上記アウタパネル１１のフランジ部１１ｂに接合されている。このことで、上記アウタパネル１１とサイドトリム５とで囲まれた収納空間１９がトランクルーム３の左側側方に形成されている。
【００１７】
図２及び図３に示すように、上記サイドトリム５の内側壁部５ｃには略矩形状の開口部２１が開口され、この開口部２１の周縁部には車幅方向外側に向かって延びる格納壁部２３が一体に形成され、この格納壁部２３によって囲まれた空間により格納部２５が構成されている。この格納壁部２３の上側格納壁部２３ａにはその外端（図２において左側）から下方に向かって延びる取付部２７（図２にのみ示す）が一体に形成されている。この取付部２７には、車両前後方向の略中央位置に係合孔２７ａが貫通形成され、この係合孔２７ａが上記収納装置１の後述する物品収納体３１の取付箇所となっている。なお、以下の説明において、収納装置１の「上下方向」及び物品収納体３１（物品収納部３３）の前側とは、トランクルーム３内から車両の左側に向かってサイドトリム５を見たときの上下方向及び手前側（図２の右側）を指すものとする。
【００１８】
（物品収納体）
上記取付部２７に取り付けられる物品収納体３１は、有底の矩形箱状の物品収納部３３と、この物品収納部３３の前側面に接合される略矩形状のリッド部３７と、物品収納部３３の後側（奥側）面に接合される略矩形状の後壁部３９とを備えている。この物品収納体３１は、上記格納部２５に折り畳まれて格納される格納状態と、格納部２５の開口部２１から引き出されて展開されて使用される使用状態とに切り換えられるようになっている。
【００１９】
上記物品収納体３１の後壁部３９は剛性のある板状のもので、その上部が上記格納壁部２３の取付部２７に取り外し可能に取り付けられている。すなわち、後壁部３９の後面上部において左右（車両前後方向）略中央部には、後方（奥側）に向かって突出する突出部４１が形成され、この突出部４１は上記取付部２７の係合孔２７ａに前側から挿入されている。突出部４１の先端（後端）には上側に突出した係合爪４１ａが形成されており、この係合爪４１ａが係合孔２７ａの周縁部に引っ掛かるようになっている。一方、図４に示すように、後壁部３９の下端には左右２つの略逆台形状の突起部４３が下方に突設され、これらの突起部４３に上記トランクルーム３のフロア部７に形成した貫通孔７ａ（図２にのみ示す）にそれぞれ挿入されている。また、上記突出部４１の下方の後壁部３９には楕円形状の着脱用指挿入口４５が貫通形成されている。このように、後壁部３９の突出部４１が格納部２５の取付部２７の係合孔２７ａに挿入され、かつ２つの突起部４３がフロア部７の貫通孔７ａに挿入されて、後壁部３９が格納部２５の後側に取り付けられている。また後壁部３９には左右両端の上下略中央にそれぞれ前側に向かって突出した箱状のリッド取付部４７が形成され、これらのリッド取付部４７の前面には、面ファスナ５３ａ（図５（ｂ）にのみ示す）が取り付けられている。
【００２０】
図５に示すように、上記物品収納体３１のリッド部３７も剛性のある板状のもので、上記サイドトリム５の開口部２１を開閉するものである。上記リッド部３７は矩形状に形成され、このリッド部３７にはその周縁部全体から後方に向かって延びるフランジ部３７ａが一体に形成されている。このフランジ部３７ａは、リッド部３７が開口部２１を閉じた状態で上記格納部２５の格納壁部２３の内周面に沿って嵌合されるように形成されている。また、このリッド部３７の上部の左右方向略中央には、２つの略半円状の貫通孔を各々の弦部が対向するように配置してなるつまみ部５１が形成されている。また、このリッド部３７後面の左右両端の上下略中央には、上記リッド取付部４７前面の面ファスナ５３ａと係合可能な面ファスナ５３ｂが取り付けられており、両面ファスナ５３ａ，５３ｂ同士が接合して係合することによってリッド部３７をリッド取付部４７に着脱可能に固定するようになっている。このリッド部３７の後面には、上記物品収納部３３が取り付けられている。
【００２１】
図６に示すように、上記物品収納部３３は、例えば布材で構成され、前後方向に沿って互いに平行に延びる左右一対の側壁部６１と、この一対の側壁部６１の下端縁間を連結する底壁部６３と、この一対の側壁部６１及び底壁部６３の各前側端縁に互いに連結される前壁部６５とを備え、上方及び後方が開口した有底の矩形箱状に形成されている。その前壁部６５が上記リッド部３７の後面に接着剤により接着され、これにより物品収納部３３がリッド部３７の後面に取り付けられている。ここで、物品収納部３３の前壁部６５がリッド部３７の２つの面ファスナ５３ｂ，５３ｂ間に接着されるように、物品収納部３３の左右の幅はリッド部３７よりも短く設定されている。また、物品収納部３３の高さもリッド部３７の高さよりも短く設定され、リッド部３７の上部が上記前壁部６５の上縁よりも上方へ突出するようになっている。上記前壁部６５におけるリッド部３７のつまみ部５１に対応する位置には、同じ形状の２つの略半円状の貫通孔６５ａが開口している。この各側壁部６１及び底壁部６３の各後端縁には、前壁部６５と略平行に延びる平面視略コ字状の取付フランジ部６７が形成され、この取付フランジ部６７が上記後壁部３９の前側面周縁に接着剤により接着され、この後壁部３９が上記一対の側壁部６１及び底壁部６３の各後側端縁を互いに連結するように構成されている。ここで、物品収納部３３の左右の幅は後壁部３９よりも短く設定され、取付フランジ部６７が後壁部３９の２つのリッド取付部４７，４７の内側に接着されるようになっている。
【００２２】
図７にも示すように、物品収納部３３の各壁部６１〜６５の境界及びこれらの各壁部６１〜６５と取付フランジ部６７との境界には、各部６１〜６７を互いに内側に近づく方向に折り曲げる折り曲げラインがそれぞれ形成されている。
【００２３】
具体的には、上記底壁部６３の左右端縁と上記一対の側壁部６１との境界には第１折り曲げライン７１が形成され、また各側壁部６１の前端縁と前壁部６５との境界には第２折り曲げライン７３がそれぞれ形成されている。また、底壁部６３の前端縁と前壁部６５との境界には第３折り曲げライン７５が形成され、また、各側壁部６１の後端縁と取付フランジ部６７との境界には第４折り曲げライン７７が形成され、さらに、底壁部６３の後端縁と取付フランジ部６７との境界には第５折り曲げライン７９がそれぞれ形成されている。
【００２４】
ここで、上記物品収納部３３の各部６１〜６７には、以下の集合点が設定されている。すなわち、各第１折り曲げライン７１の前後中央部には第１ライン集合点８１が、これらの第１ライン集合点８１の上方には、各側壁部６１に位置する第２ライン集合点８３が設定されている。そして、各側壁部６１の上端の前後中央部には第３ライン集合点８５が、各第１乃至第３折り曲げライン７１〜７５の交点には第４ライン集合点８７が、各第１，各第４及び第５折り曲げライン７１，７７，７９の交点には第５ライン集合点８９がそれぞれ設定されている。ここで、上記第２ライン集合点８３は、第１ライン集合点８１から、側壁部６１の前後方向長さの略半分の長さの位置に設定され、第１ライン集合点８１から第２ライン集合点８３までの長さが、第１ライン集合点８１から第４ライン集合点８７までの長さとほぼ同じとなるように設定されている。
【００２５】
そして、上記物品収納部３３の各側壁部６１及び底壁部６３には、複数の線状の折り畳みラインが形成されている。該折り畳みラインは、物品収納体３１が布製の場合は、例えば予め設けられた折れ目で構成されている。
【００２６】
上記折り畳みラインは、底壁部側ライン９１及び第１〜第４側壁部側ライン９３〜９９を有している。すなわち、底壁部６３には左右の上記第１ライン集合点８１間に亘って左右方向に延び、底壁部６３を前側底壁部６３ａ及び後側底壁部６３ｂとに区画する底壁部側ライン９１が形成されている。また、各側壁部６１には、第１ライン集合点８１と第２ライン集合点８３との間を上下方向に延びるように設けられる第１側壁部側ライン９３が、また第２ライン集合点８３と第３ライン集合点８５との間を上下方向に延びかつ各第１側壁部側ライン９３の延長上に位置付けられて、各側壁部６１を前側側壁部６１ａと後側側壁部６１ｂとに区画する第２側壁部側ライン９５がそれぞれ形成されている。さらに、各側壁部６１には、各第２ライン集合点８３と各第４ライン集合点８７との間に亘って前側が下方へ傾斜するように延びる第３側壁部側ライン９７が形成され、また、各第２ライン集合点８３と各第５ライン集合点８９との間に亘って前側が上方へ傾斜するように延びる第４側壁部側ライン９９がそれぞれ形成されている。
【００２７】
そして、各側壁部６１には、上記第１側壁部側ライン９３、第３側壁部側ライン９７及び第１折り曲げライン７１により各前側側壁部６１ａの下部を区画する直角二等辺三角形状の側壁前側下面６２ａが形成されている。さらに各側壁部６１には、第１側壁部側ライン９３、第４側壁部側ライン９９及び第１折り曲げライン７１により各後側側壁部６１ｂの下部を区画する直角二等辺三角形状の側壁後側下面６２ｂが形成されている。
【００２８】
上記物品収納体３１は、使用状態から格納状態に切り換えられるとき、上記第１〜第５折り曲げライン７１〜７９及び各折り畳みライン９１〜９９での折り曲げによって折り畳み状態となるように構成されている。
【００２９】
具体的には、上記前側底壁部６３ａ及び後側底壁部６３ｂの裏面が互いに近づくように上記底壁部側ライン９１が物品収納部３３内を上方へ移動して、底壁部６３が底壁部側ライン９１で内側に折り畳まれる。これとともに、上記第３折り曲げライン７５により前側底壁部６３ａと上記リッド部３７裏面とが互いに近づき、上記第５折り曲げライン７９により後側底壁部６３ｂと上記後壁部３９とが互いに近づくように折り畳まれるようになっている。
【００３０】
一方、上記各側壁部６１の各第２側壁部側ライン９５，９５が互いに近づくように物品収納部３３内へ移動して、前側側壁部６１ａ及び後側側壁部６１ｂの外面が互いに近づいて各側壁部６１が第２側壁部側ライン９５で内側に折り曲げられる。これとともに、上記第２折り曲げライン７３により前側側壁部６１ａとリッド部３７とが互いに近づき、上記第４折り曲げライン７７により後側側壁部６１ｂと後壁部３９とが互いに近づくように折り畳まれるようになっている。
【００３１】
また、側壁前側下面６２ａ及び側壁後側下面６２ｂが、当該各裏面が互いに近づくように、上記第１側壁部側ライン９３が第２ライン集合点８３を中心として外側上方に移動して、第１，第３及び第４側壁部側ライン９３，９７，９９と第１折り曲げライン７１とで外側に折り曲げられる。これに伴い、各第１側壁部側ライン９３が左右に水平状態で、側壁前側下面６２ａと側壁後側下面６２ｂとの間に前側底壁部６３ａ及び後側底壁部６３ｂが折り畳まれて挟持されるとともに、各側壁部６１の前側側壁部６１ａ及び後側側壁部６１ｂとの間に側壁前側下面６２ａ及び側壁後側下面６２ｂが折り畳まれて挟持されるようになっている。
【００３２】
物品収納体３１の格納状態での物品収納部３３の一対の第２側壁部側ライン９５，９５は、平面視で図５（ａ）のように左右に若干離間して上下方向に延び、また一対の第３側壁部側ライン９７，９７（一対の第４側壁部側ライン９９，９９）は、第３折り曲げライン７５（第５折り曲げライン７９）とで略二等辺三角形を形成している。
【００３３】
（使用方法）
次に、上記収納装置１を使用する方法について説明する。この収納装置１の物品収納体３１は、上記格納部２５に格納される格納状態（図２に実線で示す状態）と、上記開口部２１から引き出されて使用される使用状態（図２に二点差線で示す及び図３の状態）とに切り換えられる。
【００３４】
すなわち、上記格納状態から使用状態に切り換える場合は、リッド部３７のつまみ部５１を指でつまんで引っ張ることにより、リッド取付部４７及びリッド部側取付部５３の双方の面ファスナ５３ａ，５３ｂの係合が外れて、リッド部３７が格納部２５の開口部２１から前側（トランクルーム３内側）へ引き出される。このリッド部３７の引き出しに伴い、物品収納体３１は各側壁部６１及び底壁部６３が平面状になるように展開されて上方に開放された有底の矩形箱状となり、収納装置１が使用状態となる。
【００３５】
このとき、後壁部３９を格納部２５から取り外して、物品収納体３１をサイドトリム５から取り外すこともできる。具体的には、物品収納体３１の後壁部３９の着脱用指挿入口４５に物品収納部３３内側から指を挿入し、この後壁部３９を引っ張って係合爪４１ａを係合孔２７ａから抜き出し、各突起部４３を支軸にして後壁部３９の上端が格納部２５よりも前側となる位置まで後壁部３９を傾ける。そして、この後壁部３９を上側に持ち上げて各突起部４３をフロア部７の貫通孔７ａから抜き出すことにより、後壁部３９を取り外す。このことで、取り外した物品収納体３１を独立した収納体として持ち運んで利用することができる。同時に、格納部２５の後方に形成された収納空間１９がトランクルーム３に開放されるので、その収納空間１９に物品を収納する等して利用することもできる。なお、物品収納体３１を格納部２５に取り付ける前に、収納空間１９に物品を収納するようにしてもよい。
【００３６】
そして、サイドトリム５から取り外した物品収納体３１を取り付ける場合は、まず展開した状態の物品収納体３１の後壁部３９の上端を前側に傾けて、各突起部４３をフロア部７の貫通孔７ａに挿入する。そして、この各突起部４３を支軸にして後壁部３９を回動させるように押し、係合爪４１ａを係合孔２７ａに挿入して係合させる。このように、後壁部３９を格納部２５に取り付けることで、物品収納体３１がサイドトリム５に装着される。
【００３７】
上記のように物品収納体３１がサイドトリム５に装着された状態で、上記物品収納体３１を使用状態から格納状態に切り換える場合は、リッド部３７を後壁部３９側に向かって押す。すると、第１〜第５折り曲げライン７１〜７９と、底壁部側ライン９１と第１〜第４側壁部側ライン９３〜９９とによる折り曲げにより、物品収納体３１が折り畳み状態となる。
【００３８】
具体的には、上記前側底壁部６３ａ及び後側底壁部６３ｂの裏面が互いに近づくように底壁部６３が底壁部側ライン９１で内側に折り畳まれるとともに、第３折り曲げライン７５により前側底壁部６３ａとリッド部３７裏面とが互いに近づき、第５折り曲げライン７９により後側底壁部６３ｂと後壁部３９とが互いに近づくように折り畳まれる。
【００３９】
一方、前側側壁部６１ａ及び後側側壁部６１ｂの外面が互いに近づくように各側壁部６１が第２側壁部側ライン９５で内側に折り曲げられるとともに、第２折り曲げライン７３により前側側壁部６１ａとリッド部３７とが互いに近づき、第４折り曲げライン７７により後側側壁部６１ｂと後壁部３９とが互いに近づくように折り畳まれる。
【００４０】
また、側壁前側下面６２ａ及び側壁後側下面６２ｂが、当該各裏面が互いに近づくように、第１，第３及び第４側壁部側ライン９３，９７，９９と第１折り曲げライン７１とで外側に折り曲げられ、側壁前側下面６２ａと側壁後側下面６２ｂとの間に前側底壁部６３ａ及び後側底壁部６３ｂが折り畳まれて挟持されるとともに、各側壁部６１の前側側壁部６１ａ及び後側側壁部６１ｂとの間に側壁前側下面６２ａ及び側壁後側下面６２ｂが折り畳まれて挟持される。
【００４１】
このようにして、折り畳まれた側壁部６１及び底壁部６３をリッド部３７及び後壁部３９で挟持するように物品収納部３３が折り畳まれ、リッド取付部４７及びリッド部側取付部５３の両面ファスナ５３ａ，５３ｂが互いに係合し接合されてリッド部３７が開口部２１を該開口部２１周りのサイドトリム５と面一状に閉じ、物品収納体３１が格納部２５に格納される。
【００４２】
（実施形態の効果）
したがって、本実施形態の収納装置１においては、上述の如く、物品収納体３１は一対の側壁部６１、底壁部６３、リッド部３７及び後壁部３９を備え、各側壁部６１に形成された第１〜第４側壁部側ライン９３〜９９及び底壁部６３に形成された底壁部側ライン９１を有する折り畳みラインと、一対の側壁部６１、底壁部６３、リッド部３７及び後壁部３９の境界に形成された第１〜第５折り曲げライン７１〜７９とにより折り畳まれて格納部２５に格納される。このため、この物品収納体３１を折り畳むために、ガイドやアームといった別部材が必要でなく、簡単な構造で軽量かつ安価な収納装置を提供することができる。
【００４３】
また、物品収納体３１に予め、第１〜第５折り曲げライン７１〜７９及び各折り畳みライン９１〜９９が形成されていることにより、リッド部３７を後壁部３９に近づけるように押すだけで容易に物品収納体３１を折り畳むことができる。
【００４４】
また、格納部２５内に取り付けた後壁部３９にリッド部３７を重ね合わせるようにして、各折り畳みライン９１〜９９により各側壁部６１及び底壁部６３を折り畳んだ状態で、リッド部３７により開口部２１を閉じることができる。したがって、格納部２５は後壁部３９及びリッド部３７と、折り畳まれた側壁部６１及び底壁部６３とを収納可能な奥行きがあればよく、サイドトリム５等のように奥行きのない内装材にもこの格納部２５を形成して、収納装置１をコンパクトに格納することができる。
【００４５】
また、上記のように第１〜第５折り曲げライン７１〜７９を形成するとともに、各側壁部６１及び底壁部６３に複数の折り畳みライン９１〜９９を形成することにより、物品収納体３１を無駄なく容易に折り畳むことができるので、よりコンパクトに格納することができる。
【００４６】
また、物品収納体３１が後壁部３９において格納部２５から取り外し可能であるため、この物品収納体３１をサイドトリム５から取り外して、独立した持ち運び可能な収納体として使用することができ、物品収納体３１の利便性を向上させることができる。
【００４７】
さらに、物品収納体３１を取り外し可能に構成したため、格納部２５の後方に設けたアウタパネル１１とサイドトリム５とで形成された収納空間１９を物品収納部として有効に利用することができる。
【００４８】
（その他の実施形態）
なお、上述の実施形態は、本発明の例示であって、本発明はこの例に限定されるものではない。例えば、以下のような構成としてもよい。
【００４９】
すなわち、上記実施形態では、格納部２５の後方にアウタパネル１１及びサイドトリム５により形成される収納空間１９を設けたが、必ずしもこれを設けなくてもよい。
【００５０】
また、上記実施形態では、物品収納体３１の後壁部３９を取り外し可能に構成したが、取り外し不能に取り付けてもよく、格納部２５が格納壁部２３に連続する縦壁部を有し、この縦壁部を物品収納体３１の後壁部として利用してもよい。
【００５１】
また、上記実施形態では、物品収納部３３に後壁部３９及びリッド部３７が接合されていたが、これらが一体に形成された物品収納体３１でもよい。
【００５２】
また、上記実施形態では、底壁部６３に底壁部側ライン９１を設け、また各側壁部６１に第１〜第４側壁部側ライン９３〜９９を設けたが、折り畳みラインはこれらには限定されない。
【００５３】
また、上記実施形態では、物品収納部３３は布製としたが、これには限定されず、剛性のある材料で構成されていてもよい。
【００５４】
また、上記実施形態では、サイドトリム５に格納部２５を形成したが、インストルメントパネル等の他の内装材に形成してもよい。
【００５５】
また、上記実施形態では、物品収納部３３の前側は前壁部６５により構成したが、後側の取付フランジ部６７と同様に平面視コ字状のフランジ部により構成してもよく、全周にフランジ部を有し中央が開口した切り抜き部を有するように構成してもよい。このとき、リッド部３７のつまみ部５１に対応する部分が開口していればよい。
【００５６】
また、上記実施形態では、物品収納部３３の後側は取付フランジ部６７により構成したが、前壁部６５と同様に構成してもよい。この場合、後壁部３９の着脱用指挿入口４５に対応する部分が開口するように形成する。
【産業上の利用可能性】
【００５７】
以上説明したように、本発明は、車両の内装材に物品収納体が装着された車両用収納装置について有用である。
【図面の簡単な説明】
【００５８】
【図１】本発明の実施形態に係る車両用収納装置を備えた車両のトランクルームを後方から見た斜視図である。
【図２】図１のII−II線拡大断面図である。
【図３】図１における車両用収納装置の物品収納体を展開した使用状態を示す斜視図である。
【図４】後壁部を示す正面図である。
【図５】（ａ）は、リッド部を前方から見た正面図であり、（ｂ）は（ａ）のＢ−Ｂ線断面図である。
【図６】物品収納部を示す斜視図である。
【図７】図３における使用状態の物品収納体を格納状態に切り換える途中の状態を示す斜視図である。
【符号の説明】
【００５９】
１      収納装置
５      サイドトリム（内装材）
２１    開口部
２５    格納部
３１    物品収納体
３３    物品収納部
３７    リッド部
３９    後壁部
６１    側壁部
６１ａ  前側側壁部
６１ｂ  後側側壁部
６２ａ  側壁前側下面
６２ｂ  側壁後側下面
６３    底壁部
６３ａ  前側底壁部
６３ｂ  後側底壁部
６５    前壁部（リッド部）
７１    第１折り曲げライン
７３    第２折り曲げライン
７５    第３折り曲げライン
７７    第４折り曲げライン
７９    第５折り曲げライン
８１    第１ライン集合点
８３    第２ライン集合点
８５    第３ライン集合点
８７    第４ライン集合点
８９    第５ライン集合点
９１    底壁部側ライン（折り畳みライン）
９３    第１側壁部側ライン（折り畳みライン）
９５    第２側壁部側ライン（折り畳みライン）
９７    第３側壁部側ライン（折り畳みライン）
９９    第４側壁部側ライン（折り畳みライン）
【図１】
2008087625.tif 000003
【図２】
2008087625.tif 000004
【図３】
2008087625.tif 000005
【図４】
2008087625.tif 000006
【図５】
2008087625.tif 000007
【図６】
2008087625.tif 000008
【図７】
2008087625.tif 000009